(57)【要約】【課題】取付け用の器具を用いずに、素早く簡易に、磁石を備えたホルダに吸着保持されるビリヤード用チョークを提供する。【解決手段】本発明のビリヤード用チョークは、身体に装着されるホルダに磁力により吸着保持されるビリヤード用チョークであって、チョーク本体の側面と底面とを覆って前記チョーク本体を収納する収納容器の内壁面又は外壁面に板状の磁性部材を貼着してなる。【選択図】図５
2017213120.tif 000002
【特許請求の範囲】
【請求項１】
身体に装着されるホルダに磁力により吸着保持されるビリヤード用チョークであって、
チョーク本体の側面と底面とを覆って前記チョーク本体を収納する収納容器の内壁面又は外壁面に板状の磁性部材を貼着してなるビリヤード用チョーク。
【請求項２】
チョーク本体の側面と底面とを覆って前記チョーク本体を収納する収納容器であって、内壁面又は外壁面に板状の磁性部材を貼着してなるチョーク収納容器。
【発明の詳細な説明】
【技術分野】
【０００１】
本発明は、ビリヤード用チョークに関するものであり、より詳細には、身体に装着されるホルダに磁力により吸着保持されるビリヤード用チョークに関する。
【背景技術】
【０００２】
ビリヤード用チョークは、キュースティックの先端のティップに塗布され、ティップが球の表面で滑るのを防ぐ役割を果たしている。このビリヤード用チョークは、ビリヤード台の縁などに置かれ、プレーヤーは、必要に応じてこれを手に取り、ティップの先端に塗布して、球を突く。しかし、いちいちビリヤード用チョークを取りに行くのは不便である。そこで、プレーヤーが、プレイ中にビリヤード用チョークを持ち運ぶことのできる道具がある。
【０００３】
図７（ａ）には、身体装着用の、磁石Ｍ付きのホルダＨと、Ｕ字型の鉄製のブラケットＢ１からなる道具が示されている。プレーヤーは、従来のビリヤード用チョーク７０をブラケットＢ１に押し込んで固定し、これをホルダＨに近づけることで、磁石Ｍの磁力により、ブラケットＢ１ごとビリヤード用チョーク７０をホルダＨに吸着保持させる。
【０００４】
また、図７（ｂ）には、磁石Ｍ付きのホルダＨと、凹状の溝と溝の底部に設けられた鉄板と溝の側壁に螺合したボルトＢＬとを有するブラケットＢ２とからなる道具が示されている。プレーヤーは、ビリヤード用チョーク７０をブラケットＢ２の溝に挿入し、ボルトＢＬを回転させることで、ボルトＢＬの先端をビリヤード用チョーク７０の側面に押し付けて固定する。そして、これをホルダＨに近づけることで、磁石Ｍの磁力により、ブラケットＢ２ごとビリヤード用チョーク７０をホルダＨに吸着保持させる。
【０００５】
このように、図７（ａ）や図７（ｂ）に示される道具を用いることで、プレーヤーは、プレイ中にビリヤード用チョークを持ち運ぶことができる。しかしながら、図７（ａ）や図７（ｂ）の道具の場合、ブラケットにビリヤード用チョーク７０を取り付ける手間がかかっていた。特に、図７（ｂ）の道具では、ビリヤード用チョーク７０を固定するために、専用の治具を用いてボルトＢＬを回転させる必要があり、取付け作業が煩雑であった。加えて、ビリヤード用チョーク７０がブラケットＢ２から外れてしまった場合に、専用の治具がないと、再度ブラケットＢ２に固定することができず、不便であった。また、図７（ａ）や図７（ｂ）の道具では、一度取付け器具であるブラケットを紛失すると、ビリヤード用チョークをホルダＨに保持させることができないという問題が有った。
【０００６】
特許文献１には、ゴルフウェアのポケット８０の側面やバンド８１、帽子の庇８２等に取り付け可能な帯状主体１内に設置された磁石板５により、磁石板を含むコイン状のボールマーカー６を吸着保持するボールマーカーホルダが記載されている。
【先行技術文献】
【特許文献】
【０００７】
【特許文献１】実用新案登録第３１３８７８９号
【発明の概要】
【発明が解決しようとする課題】
【０００８】
本発明は、上記の点に鑑みてなされたものであり、取付け用の器具を用いずに、素早く簡易に、磁石を備えたホルダに吸着保持されるビリヤード用チョークを提供することを目的とする。
また、本発明は、ビリヤード用チョークのチョーク本体を収納するためのチョーク収納容器を提供することを目的とする。
【課題を解決するための手段】
【０００９】
本発明のビリヤード用チョークは、身体に装着されるホルダに磁力により吸着保持されるビリヤード用チョークであって、チョーク本体の側面と底面とを覆って前記チョーク本体を収納する収納容器の内壁面又は外壁面に板状の磁性部材を貼着してなる。
また、本発明のチョーク収納容器は、チョーク本体の側面と底面とを覆って前記チョーク本体を収納する収納容器であって、内壁面又は外壁面に板状の磁性部材を貼着してなる。
【発明の効果】
【００１０】
このように、本発明のビリヤード用チョークでは、チョーク本体を収納する収納容器の内壁面又は外壁面に板状の磁性部材が貼着されている。これにより、磁性部材が吸引されて、ホルダに吸着保持される。その結果、取付け用の器具を用いず、素早く簡易に、ホルダに吸着保持されるビリヤード用チョークを提供することができる。
また、ビリヤード用チョークのチョーク本体を収納するためのチョーク収納容器を提供することができる。
【図面の簡単な説明】
【００１１】
【図１】本発明の一実施形態であるビリヤード用チョーク１０の斜視図。
【図２】図１のビリヤード用チョーク１０の分解斜視図。
【図３】図１のビリヤード用チョーク１０の収納容器２の展開図。
【図４】図１のビリヤード用チョーク１０のチョーク本体１を収納容器２内に収納する前の様子を示す図（図４（ａ））、図４（ａ）のチョーク本体１の側面に収納容器２の第１の側壁２ｂを貼着した際の様子を示す図（図４（ｂ））及び図４（ｂ）のチョーク本体１の側面に収納容器２の第２の側壁２ｃを貼着した際の様子を示す図（図４（ｃ））。
【図５】図１のビリヤード用チョーク１０を、ホルダＨに吸着保持させる前の様子を示す図（図５（ａ））及び図１のビリヤード用チョーク１０を、ホルダＨに吸着保持させた際の様子を示す図（図５（ｂ））。
【図６】図１のビリヤード用チョーク１０の使用状態説明図。
【図７】ブラケットＢ１を用いて、従来のビリヤード用チョーク７０を、ホルダＨに吸着保持させる様子を示した図（図７（ａ））及びブラケットＢ１を用いて、従来のビリヤード用チョーク７０を、ホルダＨに吸着保持させる様子を示した図。
【発明を実施するための形態】
【００１２】
図１〜図３を用いて本発明の一実施形態であるビリヤード用チョーク１０の構成について説明する。図１は、本発明の一実施形態であるビリヤード用チョーク１０の斜視図であり、図２は、図１のビリヤード用チョーク１０の分解斜視図であり、図３は、図１のビリヤード用チョーク１０の収納容器２の展開図である。
【００１３】
本発明の一実施形態であるビリヤード用チョーク１０は、チョーク本体１と、チョーク本体１の側面と底面とを覆ってチョーク本体１を収納する収納容器２と、収納容器２の内壁面に貼着される磁性部材３とを有する。
チョーク本体１は、キュースティックの先端に塗布される部分であり、立方体状の形状をしている。チョーク本体１の上面部には、キュースティック先端への塗布を容易にするための浅い円形の窪みが設けられている。なお、本実施例では、チョーク本体１は立方体状の形状としたが、立方体状以外の円柱形状や多角形状のものでも良い。
【００１４】
収納容器２は、底面部２ａと、二つの第１の側壁２ｂと、二つの第２の側壁２ｃと、磁性部材３とからなる。収納容器２を構成する底面部２ａ、二つの第１の側壁２ｂ及び二つの第２の側壁２ｃは、紙からなり、磁性部材３は、鉄等の磁石に付く素材からなる。
底面部２ａは、チョーク本体１の底面を覆う部分であり、チョーク本体１の底面と対応する正方形状からなる。また、第１の側壁２ｂ及び第２の側壁２ｃは、チョーク本体１の側面を覆う部分であり、接着剤によりチョーク本体１の側面に貼着される。このように、第１の側壁２ｂ及び第２の側壁２ｃがチョーク本体１の側壁に貼着されていることで、チョーク本体１と収納容器２を一体化することができる。
【００１５】
二つの第１の側壁２ｂは、底面部２ａの四つの辺のうち、対向する二つの辺からそれぞれ延伸しており、底面部２ａに対して垂直に折り曲げた際に、互いに対向する。そして、チョーク本体１の四つの側面のうち、対向する二つの側面を覆う。また、第１の側壁２ｂは、折り返し部２ｂａを有する。この折り返し部２ｂａは、折り返されることで、チョーク本体１の四つの側面のうち、残りの二つの対向する側面の一部を覆う。
【００１６】
また、二つの第２の側壁２ｃは、底面部２ａの四つ辺のうち、残りの二つの対向する辺からそれぞれ延伸しており、底面部２ａに対して垂直に折り曲げた際に、互いに対向する。そして、折り返し部２ｂａに一部が覆われた、チョーク本体１の残りの二つの対向する側面を覆う。
ここで、折り返し部２ｂａにより、チョーク本体１の側面（残りの二つの対向する側面）の一部が覆われていることで、二つの第２の側壁２ｃによりチョーク本体１の側面（残りの二つの対向する側面）を覆った際に、チョーク本体１の角部分が外部に露出せず、ビリヤード用チョーク１０の美観を向上させることができる。
【００１７】
磁性部材３は、磁石Ｍ（図５（ａ）及び図５（ｂ）参照）に吸着される性質を有する、四辺が底面部２ａの四辺の内側に収まる大きさの正方形状の鉄板からなる。そして、磁性部材３は、底面部２ａ上に接着剤により貼着されている。
ここで、第１の側壁２ｂ及び第２の側壁２ｃが貼着されてチョーク本体１に一体化される収納容器２に、磁性部材３が貼着されていることで、磁性部材３をホルダＨの磁石Ｍに接近させるだけで、磁性部材３のみならずチョーク本体１及び収納容器２をも磁石Ｍに吸着保持させることができる。
【００１８】
次に、図４（ａ）〜図４（ｃ）を用いて、本発明の一実施形態であるビリヤード用チョーク１０の製造方法について説明する。図４（ａ）は、図１のビリヤード用チョーク１０のチョーク本体１を収納容器２内に収納する前の様子を示す図であり、図４（ｂ）は、図４（ａ）のチョーク本体１の側面に収納容器２の第１の側壁２ｂを貼着した際の様子を示す図であり、図４（ｃ）は、図４（ｂ）のチョーク本体１の側面及び折り返し部２ｂａの表面に収納容器２の第２の側壁２ｃを貼着した際の様子を示す図である。
【００１９】
まず、底面部２ａに磁性部材３が貼着された、組立前の収納容器２を用意する。次いで、磁性部材３上にチョーク本体１の底面を載置する。その後、第１の側壁２ｂを底面部２ａに対して垂直に折り曲げ、チョーク本体１の四つの側面のうち、二つの対向する側面に貼着する。次いで、折り返し部２ｂａを折り返して、チョーク本体１の四つの側面のうち、残りの二つの対向する側面に貼着する。その後、第２の側壁２ｃを底面部２ａに対して垂直に折り曲げ、折り返し部２ｂａの表面及びチョーク本体１の側面（残りの二つの対向する側面）に貼着する。このようにして、ビリヤード用チョーク１０を製造することができる。
【００２０】
次いで、図５（ａ）、図５（ｂ）及び図６を用いて、本発明の一実施形態であるビリヤード用チョーク１０の使用方法について説明する。図５（ａ）は、図１のビリヤード用チョーク１０を、ホルダＨに吸着保持させる前の様子を示す図であり、図５（ｂ）は、図１のビリヤード用チョーク１０を、ホルダＨに吸着保持させた際の様子を示す図であり、図６は、図１のビリヤード用チョーク１０の使用状態説明図である。
【００２１】
プレーヤーは、磁石Ｍを有するホルダＨを衣類（ベルトやポケット）に取付け、ビリヤード用チョーク１０を近付ける。すると、磁性部材３が磁力により引き寄せられ、ビリヤード用チョーク１０がホルダＨ（磁石Ｍ）に吸着保持される。このようにして、プレーヤーは、ビリヤード用チョーク１０を持ち運び、必要に応じて、ホルダＨから外してキュースティックの先端に塗布し、再びホルダＨに吸着保持させて持ち運ぶ。
【００２２】
このように、本発明の一実施形態であるビリヤード用チョーク１０では、チョーク本体１の側面に第１の側壁２ｂ及び第２の側壁２ｃが貼着されることで、収納容器２がチョーク本体１に一体化されている。そして、チョーク本体１に一体化された収納容器２の底面部２ａに磁性部材３が貼着されている。これにより、磁性部材３を磁力によりホルダＨの磁石Ｍに吸着させると、磁性部材３のみならずチョーク本体１及び収納容器２をもホルダＨ（磁石Ｍ）に吸着保持させることができる。その結果、取付け用の器具を用いず、素早く簡易に、磁石Ｍを備えたホルダＨに吸着保持されるビリヤード用チョーク１０を提供することができる。
【００２３】
なお、本実施形態のビリヤード用チョーク１０では、磁性部材３を収納容器２の内壁側に設けているが、収納容器２の外壁側に設けても良い。また、本実施形態では、磁性部材３を、底面部２ａに貼着しているが、第１の側壁２ｂや第２の側壁２ｃに貼着しても良い。さらに、本実施形態では、磁性部材３をチョーク本体１に貼着していないが、貼着するようにしても良い。磁性部材３をチョーク本体１に貼着することで、収納容器２をチョーク本体１により強固に固定することができる。また、本実施形態では、磁性部材３を矩形板状としたが、円板状などとしても良い。また、本実施形態では、磁性部材３の材料を鉄としたが、コバルト、ニッケル、フェルライトなど、磁石Ｍに吸着保持される材料に変更することができる。
また、チョーク本体１に貼着される磁性部材３を磁石にし、ホルダＨを鉄などの吸着保持される材料としても良い。
また、本実施形態では、第１の側壁２ｂに折り返し部２ｂａを設けたが、これを設けなくても良い。折り返し部２ｂａを設けない場合には、第２の側壁２ｃをチョーク本体１の側面のみに貼着することになるので、貼着作業が容易になり、簡易に収納容器２をチョーク本体１に一体化することができる。
【００２４】
さらに、本実施形態では、チョーク本体１の側面に直接第１の側壁２ｂ及び第２の側壁２ｃを貼着することで、収納容器２により、チョーク本体１の側面と底面とを覆ったが、チョーク本体１の側面及び底面が既に別のカバーで覆われている場合には、そのカバーの上から第１の側壁２ｂ及び第２の側壁２ｃを貼着して、収納容器２により、チョーク本体１の側面と底面とを覆っても良い。これにより、チョーク本体１の底面及び側面がカバーにより覆われた既存のビリヤード用チョークを利用して、本発明のビリヤード用チョークを製造することができる。
【００２５】
以上に本発明の一実施形態であるビリヤード用チョーク１０を説明したが、本発明は上記の実施形態に限定されることなく、技術思想を逸脱しない範囲で、多様に変形して実施することができる。
【符号の説明】
【００２６】
１０                ビリヤード用チョーク
１                チョーク本体
２                収納容器
２ａ              底面部
２ｂ              第１の側壁
２ｂａ            折り返し部
２ｃ              第２の側壁
３                磁性部材
Ｈ                ホルダ
Ｍ                磁石
【図１】
2017213120.tif 000003
【図２】
2017213120.tif 000004
【図３】
2017213120.tif 000005
【図４】
2017213120.tif 000006
【図５】
2017213120.tif 000007
【図６】
2017213120.tif 000008
【図７】
2017213120.tif 000009